(57)【要約】【課題】本発明は、キャップの防水性が向上した携帯電子機器を提供することを目的とする。【解決手段】携帯電話機１は、開口部２０が形成された操作部側筐体２と、開口部２０を閉塞するキャップ１６と、操作部側筐体２においてキャップ１６に対向する凹部２１に設けられたリブ２２と、操作部側筐体２とキャップ１６との間に配置され、リブ２２に弾圧された状態で凹部２１およびキャップ１６において操作部側筐体２に対向する中間部材１６２に当接するゲル状シート１６３と、を有する。【選択図】図６
2010148002.tif 000002
【特許請求の範囲】
【請求項１】
開口部が形成された筐体と、
前記開口部を閉塞するキャップと、
前記キャップの前記筐体に対向する第１対向部および前記筐体の前記キャップに対向する第２対向部の少なくとも一方に設けられた凸部と、
前記筐体と前記キャップとの間に配置され、前記凸部に弾圧された状態で前記第１対向部および前記第２対向部に当接する弾性部材と、を有することを特徴とする携帯電子機器。
【請求項２】
前記筐体と前記キャップの少なくとも一方は、前記弾圧に伴う弾性部材の弾性変形方向と交わる方向に形成された壁部を有し、
前記弾性部材は、前記凸部に弾圧された状態で前記壁部に当接する、ことを特徴とする請求項１に記載の携帯電子機器。
【請求項３】
前記凸部は、前記壁部の方向に傾斜して形成される傾斜面を有する、ことを特徴とする請求項２に記載の携帯電子機器。
【請求項４】
前記凸部は、前記第１対向部および前記第２対向部の少なくとも一方の前記開口部を囲繞する位置に設けられる、ことを特徴とする請求項１乃至請求項３のいずれか一項に記載の携帯電子機器。
【請求項５】
前記筐体と前記キャップの一方には係合部が設けられ、他方には前記弾性部材が前記凸部に弾圧された状態で前記第１対向部および前記第２対向部に当接したときに前記係合部が係合する被係合部が形成される、ことを特徴とする請求項乃至請求項４のいずれか一項に記載の携帯電子機器。
【請求項６】
前記キャップは、前記開口部の少なくとも一部を開放する第１状態と前記開口部を閉塞する第２状態との間を移動可能に構成され、
前記凸部は、前記第１対向部および前記第２対向部の少なくとも一方に、前記キャップが前記第１状態から前記第２状態に移動する方向と同一の方向または反対の方向に突出して設けられる、ことを特徴とする請求項１乃至請求項５のいずれか一項に記載の携帯電子機器。
【発明の詳細な説明】
【技術分野】
【０００１】
本発明は、携帯電話機等の携帯電子機器に関する。
【背景技術】
【０００２】
筐体からコネクタ等を露出させるための開口部を閉塞するキャップに弾性部材を設けて、開口部からの水の浸入を抑制するという技術が知られている（例えば、特許文献１）。特許文献１では、開口部の内周に対応する環状の弾性部材が設けられたキャップを有する携帯電子機器が開示されている。
【特許文献１】特開２００１−２５０６２９号公報
【発明の開示】
【発明が解決しようとする課題】
【０００３】
しかし、特許文献１に記載されている技術では、筐体においてキャップと対向し平面で形成される対向部と弾性部材との間に働く弾性力のみによって弾性部材が変形するため、対向部と弾性部材とが当接する面積を広く確保することが困難であり、その結果キャップの防水性を確保することが困難となるおそれがある。
【０００４】
本発明は上記のような課題に鑑みてなされたもので、キャップの防水性が向上した携帯電子機器を提供することを目的とする。
【課題を解決するための手段】
【０００５】
上記課題を解決するために、本発明に係る携帯電子機器の代表的な構成は、開口部が形成された筐体と、前記開口部を閉塞するキャップと、前記キャップの前記筐体に対向する第１対向部および前記筐体の前記キャップに対向する第２対向部の少なくとも一方に設けられた凸部と、前記筐体と前記キャップとの間に配置され、前記凸部に弾圧された状態で前記第１対向部および前記第２対向部に当接する弾性部材と、を有することを特徴とする。
【０００６】
また、前記筐体と前記キャップの少なくとも一方は、前記弾圧に伴う弾性部材の弾性変形方向と交わる方向に形成された壁部を有し、前記弾性部材は、前記凸部に弾圧された状態で前記壁部に当接することが好ましい。
【０００７】
また、前記凸部は、前記壁部の方向に傾斜して形成される傾斜面を有することが好ましい。
【０００８】
また、前記凸部は、前記第１対向部および前記第２対向部の少なくとも一方の前記開口部を囲繞する位置に設けられることが好ましい。
【０００９】
また、前記筐体と前記キャップの一方には係合部が設けられ、他方には前記弾性部材が前記凸部に弾圧された状態で前記第１対向部および前記第２対向部に当接したときに前記係合部が係合する被係合部が形成されることが好ましい。
【００１０】
また、前記キャップは、前記開口部の少なくとも一部を開放する第１状態と前記開口部を閉塞する第２状態との間を移動可能に構成され、前記凸部は、前記第１対向部および前記第２対向部の少なくとも一方に、前記キャップが前記第１状態から前記第２状態に移動する方向と同一の方向または反対の方向に突出して設けられることが好ましい。
【発明の効果】
【００１１】
本発明によれば、筐体においてキャップと対向する対向部と弾性部材とが当接する面積を広く確保することができ、キャップの防水性が向上した携帯電子機器を提供することができる。
【発明を実施するための最良の形態】
【００１２】
以下、図面を参照して本発明を実施するための最良の形態を説明する。図１は、本実施形態における携帯電子機器としての携帯電話機１を開いた状態における外観を示す斜視図である。
【００１３】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１４】
操作部側筐体２は、操作キー群１１と、携帯電話機１の使用者が通話時に発した音声が入力される音声入力部１２とを備える。
【００１５】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１６】
音声入力部１２は、操作部側筐体２の長手方向における連結部４側と反対の外端部側に配置される。つまり、音声入力部１２は、携帯電話機１が開状態において一方の外端部側に配置される。
【００１７】
表示部側筐体３は、各種情報を表示するための表示部３１と、通話の相手側の音声を出力する音声出力部３２とを備える。ここで、表示部３１は、液晶パネルと、この液晶パネルを駆動する駆動回路と、この液晶パネルの背面側から光を照射するバックライト等の光源部とから構成される。
【００１８】
ここで、図２により、操作部側筐体２の側面２ｓの構造について説明する。図２は、操作部側筐体２の側面２ｓを部分的に拡大して示す斜視図である。図２に示すように、操作部側筐体２の側面２ｓには、開口部２０が形成されている。この開口部２０は、例えば、携帯電話機１と充電器等の外部機器とを接続するために操作部側筐体２の内部に設けられるコネクタ（不図示）等を外部に露出させるためのものであり、コネクタ等を使用しない際には図１に示すようにキャップ１６によって閉じられている。
【００１９】
次いで、図２、図３および図５により、操作部側筐体２における開口部２０付近の構造について説明する。図３は、操作部側筐体２における開口部２０付近をキャップ１６と共に携帯電話機１の内側から見た斜視図である。図５は、操作部側筐体２における開口部２０付近およびキャップ１６を図３におけるＩ−Ｉ線で切断した場合の断面図である。
【００２０】
図２および図５に示すように、操作部側筐体２にはキャップ１６と対向する第２対向部としての凹部２１が形成されており、開口部２０は凹部２１の底部に凹部２１の開口面積よりも小さい面積で形成されている。本実施形態においては、開口部２０および凹部２１は操作部側筐体２の側面２ｓを正面から見たときにそれぞれ略矩形状に形成される。凹部２１は、操作部側筐体２の側面２ｓと略平行な第１面２１ａおよび操作部側筐体２の側面２ｓに略垂直な壁部としての第２面２１ｂを有する。
【００２１】
凹部２１の第１面２１ａには、凸部としてのリブ２２が設けられている。リブ２２は、後述する弾性部材としてのゲル状シート１６３に対応する位置かつ開口部２０を囲繞する位置で、キャップ１６が開口部２０の少なくとも一部を開放する第１状態から開口部２０を閉塞する第２状態に移動する方向と反対の方向に突出して設けられている。リブ２２は、図５に示すように断面が三角形を成している。言い換えれば、第２面２１ｂの方向に傾斜して形成される傾斜面２２ａを有して構成される。また、図３に示すように、操作部側筐体２における開口部２０の外周には、後述するキャップ１６の爪部１６２ａが係合する被係合部としての切り欠き２３が設けられている。
【００２２】
次いで、図４および図５により、キャップ１６の構造について説明する。図４は、キャップ１６の外観を示す斜視図である。
【００２３】
図４および図５に示すように、キャップ１６は、開口部２０の少なくとも一部を開放する第１状態と開口部２０を閉塞する第２状態の間を移動可能に構成されており、開口部２０を閉塞したときに携帯電話機１の外部に露出する蓋部材１６１と、操作部側筐体２と対向する第１対向部としての中間部材１６２と、から構成される。そして、中間部材１６２には弾性部材としてのゲル状シート１６３が設けられている。キャップ１６は、操作部側筐体２の側面２ｓに形成された凹部２１に係合するように形成されている。
【００２４】
蓋部材１６１は操作部側筐体２を構成する樹脂と同一の樹脂により形成されており、その外側の面はキャップ１６が開口部２０を閉塞したときに操作部側筐体２の側面２ｓと略同一平面を形成し、操作部側筐体２の側面２ｓの一部として視認されやすくなっている。蓋部材１６１の外形は略矩形状であり、その長さおよび幅は凹部２１の長さおよび幅と略同等である。
【００２５】
中間部材１６２は例えば蓋部材１６１と異なる樹脂により形成されており、蓋部材１６１に嵌めこまれる。中間部材１６２には、係合部としての爪部１６２ａが、キャップ１６が上述の第１状態から第２状態に移動する方向と同一の方向に突出して設けられている。爪部１６２ａは、キャップ１６が上述の第１状態から第２状態に移動する方向に直交する方向に突出した突起を有し、ゲル状シート１６３がリブ２２に弾圧された状態で中間部材１６２および凹部２１に当接したときに操作部側筐体２に設けられた被係合部としての切り欠き２３に係合する。
【００２６】
ゲル状シート１６３は、好適な弾性を有するゲルから構成される。本実施形態に置いてゲル状シート１６３は中間部材１６２に当接しており、中間部材１６２において少なくとも上述のリブ２２に対応する位置に設けられる。本実施形態においては、ゲル状シート１６３は爪部１６２ａに対応する領域を除き中間部材１６２全体に設けられる。これにより、中間部材１６２は、爪部１６２ａを除き蓋部材１６１とゲル状シート１６３によって覆われる。なお、ゲル状シート１６３の外径は蓋部材１６１の外径よりも小さくなっている。
【００２７】
図６は、キャップ１６が開口部２０を閉塞したときの様子を図５と同一の方向から見た断面図である。キャップ１６を凹部２１に挿入していくと、ゲル状シート１６３はリブ２２に弾圧された状態で凹部２１の第１面２１ａに当接し、さらに第２面２１ｂと直交する方向へ柔軟に弾性変形して広がり第２面２１ｂにも当接する。このとき、爪部１６２ａは切り欠き２３に係合する。
【００２８】
以上の構成を有する本実施形態の携帯電話機１によれば、開口部２０にキャップ１６を挿入していくと、キャップ１６の中間部材１６２に設けられたゲル状シート１６３がリブ２２に弾圧された状態で凹部２１の第１面２１ａに当接する。さらに、凹部２１の第２面２１ｂ方向に柔軟に変形し、凹部２１の第２面２１ｂにも当接する。これにより、ゲル状シート１６３と凹部２１との当接面積が大きくなり、キャップ１６の防水性が向上した携帯電話機１を提供することができる。
【００２９】
また、本実施形態によれば、リブ２２はキャップ１６が上述の第１状態から第２状態へ移動する方向と反対の方向に突出し、かつ凹部２１の第１面２１ａに対して第２面２１ｂの方向に傾斜して形成される傾斜面２２ａを有する。これによりゲル状シート１６３がスムーズに第２面２１ｂの方向に広がり第１面２１ａおよび第２面２１ｂに当接し、キャップ１６の防水性がさらに向上する。
【００３０】
また、本実施形態によれば、リブ２２が凹部２１の開口部２０を囲繞する位置に設けられる。これにより、開口部２０の周囲全体でゲル状シート１６３と凹部２１とが当接し、キャップ１６の防水性がさらに向上する。
【００３１】
また、本実施形態によれば、ゲル状シート１６３がリブ２２に弾圧された状態で凹部２１の第１面２１ａおよび第２面２１ｂに当接したときにキャップ１６の爪部１６２ａが操作部側筐体２の切り欠き２３に係合する。これにより、ゲル状シート１６３が凹部２１の第１面２１ａおよび第２面２１ｂに当接する状態を維持することができ、キャップ１６の防水性を安定して確保することができる。
【００３２】
以上、好適な実施形態について説明したが、本発明は本実施形態に限定されることなく種々の形態で実施することができる。例えば、本実施形態においては、携帯電子機器を携帯電話機１として説明しているが、本発明はこれに限定されず、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノートパソコン等であってもよい。
【００３３】
また、本実施形態においては、連結部４により折り畳み可能な携帯電話機１の説明をしているが、このような折り畳み式ではなく、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一つの筐体に配置され連結部を有さない型式（ストレートタイプ）でもよい。また、携帯電話機１は、開閉及び回転可能ないわゆる２軸ヒンジタイプであってもよい。
【００３４】
また、本実施形態においては、操作部側筐体２に開口部２０が形成されているが、本発明はこれに限定されず、表示部側筐体３に開口部２０が形成されていてもよい。
【００３５】
また、本実施形態においては、凹部２１の底面に開口部２０が形成されているが、本発明はこれに限定されず、例えば本実施形態における凹部２１を開口部として捉え操作部側筐体２の側面２ｓにリブ２２を設けるという構成であってもよい。
【００３６】
また、本実施形態においては、開口部２０および凹部２１は操作部側筐体２の側面２ｓを正面から見たときにそれぞれ略矩形状に形成されているが、本発明はこれに限定されず、例えば円形状等の他の形状であってもよい。
【００３７】
また、本実施形態においては、壁部として第２対向部の一部である第２面２１ｂを挙げて説明しているが、本発明はこれに限定されず、キャップ１６が壁部を有していてもよい。
【００３８】
また、本実施形態においては、壁部としての第２面２１ｂはゲル状シート１６３の弾性変形方向と直交するが、本発明はこれに限定されず、他の角度で交わる方向に形成されていてもよい。
【００３９】
また、本実施形態においては、キャップ１６は開口部２０の少なくとも一部を開放する第１状態と開口部２０を閉塞する第２状態の間を移動可能に構成されているが、本発明はこれに限定されず、単に開口部２０を閉塞するだけであってもよい。
【００４０】
また、本実施形態においては、弾性部材としてゲル状シート１６３を挙げて説明しているが、本発明はこれに限定されず、本実施形態を実現できる程度の弾性を有する部材であれば他の材質であってもよい。
【００４１】
また、本実施形態においては、ゲル状シート１６３はキャップ１６の中間部材１６２に当接して設けられているが、本発明はこれに限定されず、操作部側筐体２とキャップ１６との間に配置されていればよく、凹部２１に設けられていてもよい。
【００４２】
また、本実施形態においては、リブ２２は操作部側筐体２の凹部２１に設けられているが、本発明はこれに限定されず、キャップ１６の中間部材１６２に設けられていてもよいし、凹部２１と中間部材１６２の両方に設けられていてもよい。
【００４３】
また、本実施形態においては、リブ２２は凹部２１の第１面２１ａからキャップ１６が上述の第１状態から第２状態に移動する方向と反対の方向に突出して設けられているが、本発明はこれに限定されず、凹部２１の第２面２１ｂから突出して設けられていてもよい。
【００４４】
また、本実施形態においては、リブ２２は凹部２１の第１面２１ａに対して第２面２１ｂの方向に傾斜して形成される傾斜面２２ａを有して構成されるが、本発明はこれに限定されず、ゲル状シート１６３を凹部２１の第２面２１ｂの方向に広げる形状であればよい。
【００４５】
また、本実施形態においては、ゲル状シート１６３の外径は蓋部材１６１の外径よりも小さくなっているが、本発明はこれに限定されず、キャップ１６が凹部２１に入り込むことを妨げない程度であれば蓋部材１６１の外径より大きく形成されていてもよい。
【００４６】
また、本実施形態においては、キャップ１６に係合部としての爪部１６２ａが設けられ、操作部側筐体２に被係合部としての切り欠き２３が設けられているが、本発明はこれに限定されず、操作部側筐体２に爪部１６２ａが設けられ、キャップ１６に切り欠き２３が設けられていてもよい。また、キャップ１６および操作部側筐体２のそれぞれに爪部１６２ａと切り欠き２３とが設けられていてもよい。
【図面の簡単な説明】
【００４７】
【図１】携帯電話機１を開いた状態における外観を示す斜視図である。
【図２】操作部側筐体２の側面２ｓを部分的に拡大して示す斜視図である。
【図３】操作部側筐体２における開口部２０付近をキャップ１６と共に携帯電話機１の内側から見た斜視図である。
【図４】キャップ１６の外観を示す斜視図である。
【図５】操作部側筐体２における開口部２０付近およびキャップ１６を図３におけるＩ−Ｉ線で切断した場合の断面図である。
【図６】キャップ１６が開口部２０を閉塞したときの様子を図５と同一の方向から見た断面図である。
【符号の説明】
【００４８】
１          携帯電話機
２          操作部側筐体
３          表示部側筐体
１６        キャップ
２０        開口部
２１        凹部
２１ａ      第１面
２１ｂ      第２面
２２        リブ
２２ａ      傾斜面
２３        切り欠き
１６１      蓋部材
１６２      中間部材
１６２ａ    爪部
１６３      ゲル状シート
【図１】
2010148002.tif 000003
【図２】
2010148002.tif 000004
【図３】
2010148002.tif 000005
【図４】
2010148002.tif 000006
【図５】
2010148002.tif 000007
【図６】
2010148002.tif 000008